【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
導体からなるループコイルにキャパシタが挿入された第一直列共振回路と、
前記第一直列共振回路に並列接続される第１回路と、
前記第１回路に並列接続される信号処理回路と、を備え、複数の異なる共振周波数を有する磁気共鳴撮影装置の磁場コイルであって、
前記第１回路は、キャパシタとインダクタとを備え、それぞれ共振周波数が異なる複数の直列共振回路が並列に接続され、
前記直列共振回路それぞれの共振周波数は前記第一の直列共振回路の共振周波数とも異なり、
当該磁場コイルの各共振周波数が前記第一直列共振回路および前記直列共振回路のそれぞれの共振周波数の間となるよう調整されていること
を特徴とする磁気共鳴撮像装置の磁場コイル。
【請求項２】
導体からなるループコイルにキャパシタが挿入された第一直列共振回路と、
キャパシタとインダクタとが直列接続され、前記第一直列共振回路に並列接続される第二直列共振回路と、
キャパシタとインダクタとが直列接続され、前記第二直列共振回路に並列接続される第三の直列共振回路と、
前記第三の直列共振回路に並列接続される信号処理回路と、を備える磁気共鳴撮影装置の磁場コイルであって、
前記第一の直列共振回路の共振周波数ｆＡと前記第二の直列共振回路の共振周波数ｆＢと前記第三の直列共振回路の共振周波数ｆＣと当該磁場コイルの第一の共振周波数ｆ１と第二の共振周波数ｆ２とが、ｆＢ＜ｆ１＜ｆＡ＜ｆ２＜ｆＣの関係を満たすよう調整されていること
を特徴とする磁気共鳴撮像装置の磁場コイル。
【請求項３】
前記ループコイルは、円柱の表面に互いに対応して配置された２つの導体ループを備え、当該導体ループにより生じる磁場の向きが互いに同じになるよう接続された鞍型形状を有すること
を特徴とする請求項２に記載の磁場コイル。
【請求項４】
前記ループコイルは、同一平面内に隣り合って配置された２つの導体ループを備え、当該導体ループにより生じる磁場の向きが互いに逆になるよう接続された蝶型形状を有すること
を特徴とする請求項２に記載の磁場コイル。
【請求項５】
前記ループコイルは、ソレノイド形状を有すること
を特徴とする請求項２に記載の磁場コイル。
【請求項６】
前記第三直列共振回路と前記信号処理回路との間に並列接続される第四直列共振回路をさらに備え、
各共振周波数が、前記第四直列共振回路の共振周波数ｆＤと、当該磁場コイルの共振周波数ｆ３（＞ｆ２＞ｆ１）とを加え、ｆＢ＜ｆ１＜ｆＡ＜ｆ２＜ｆＣ＜ｆ３＜ｆＤもしくは、ｆＢ＜ｆ１＜ｆＣ＜ｆ２＜ｆＡ＜ｆ３＜ｆＤの関係を満たすよう調整されていること
を特徴とする請求項２から５いずれか１項記載の磁場コイル。
【請求項７】
前記第一直列共振回路以外の部分に電波シールドが施されていること
を特徴とする請求項１から６いずれか１項記載の磁場コイル。
【請求項８】
前記第一の共振周波数が前記第二の共振周波数の７０％以上であること
を特徴とする請求項２から５いずれか１項記載の磁場コイル。
【請求項９】
第一の磁場コイルと、
第二の磁場コイルと、を備え、
前記第一の磁場コイルは、請求項２から５いずれか１項記載の磁場コイルであり、
前記第二の磁場コイルは、請求項２から５いずれか１項記載の磁場コイルであり
前記第二の磁場コイルにより生じる磁場の向きが、前記第一の磁場コイルにより生じる磁場の向きに直交するよう配置され、
前記第二の磁場コイルに印加される信号の位相は前記第一の磁場コイルに印加される信号の位相と９０度異なること
を特徴とする磁気共鳴撮像装置の磁場コイルシステム。
【請求項１０】
請求項２記載の磁場コイルのループコイル部が互いに部分的に重なりあうよう略同一面に複数配置したアレイコイルであること
を特徴とする磁気共鳴装置の磁場コイルシステム。
【請求項１１】
磁場送信コイルと、
磁場受信コイルと、
磁気結合防止手段と、を備え、
前記磁場送信コイルは、各々異なる共振周波数で動作する磁場コイルであって、
前記磁場受信コイルは、前記請求項２から５のいずれか１項記載の磁場コイル、または、前記請求項９から１０のいずれか１項記載の磁場コイルシステムであって、
前記磁気結合防止手段は、前記第１の共振周波数および前記第２の共振周波数の信号送信時には、前記磁場受信コイルを開放状態とし、前記第１の共振周波数および前記第２の共振周波数の信号受信時には、前記磁場送信コイルを開放状態とすること
を特徴とする磁気共鳴撮像装置の磁場コイルシステム。
【請求項１２】
前記磁気結合防止手段は、ダイオードを備え、前記ダイオードを外部制御信号によってオン・オフさせること
を特徴とする請求項１０または１１に記載の磁場コイルシステム。
【請求項１３】
前記磁気結合防止手段は、２つのダイオードを逆方向に接続したクロスダイオードを備えること
を特徴とする請求項１１に記載の磁場コイルシステム。
【請求項１４】
第一の磁場送受信コイルと、
第二の磁場送受信コイルと、
磁気結合防止手段と、を備え、
前記第一の磁場送受信コイルおよび前記第二の磁場送受信コイルは、請求項２に記載の磁場コイルであって、
前記第二の磁場送受信コイルの２つの共振周波数は、前記第一の磁場送受信コイルの２つの共振周波数とは異なるよう調整され、
前記磁気結合防止手段は、前記第一の磁場送受信コイルの２つの共振周波数の信号送受信時には、前記第二の磁場送受信コイルを開放状態とし、前記第二の磁場送受信コイルの２つの共振周波数の信号送受信時には、前記第一の磁場送受信コイルを開放状態とすること
を特徴とする磁気共鳴撮像装置の磁場コイルシステム。
【請求項１５】
静磁場を形成する静磁場形成手段と、傾斜磁場を形成する傾斜磁場形成手段と、高周波磁場を形成する高周波磁場形成手段と、前記高周波磁場を検査対象に印加し検査対象からの磁気共鳴信号を受信する送受信コイルと、前記傾斜磁場、前記高周波磁場及び前記送受信コイルを制御する制御手段と、を備える磁気共鳴撮像装置であって、
前記送受信コイルは、請求項１から８いずれか１項記載の磁場コイル、または、請求項９から１０、１４いずれか１項記載の磁場コイルシステムであること
を特徴とする磁気共鳴撮像装置。
【請求項１６】
静磁場を形成する静磁場形成手段と、傾斜磁場を形成する傾斜磁場形成手段と、高周波磁場を形成する高周波磁場形成手段と、前記高周波磁場を検査対象に印加する送信コイルと、検査対象からの磁気共鳴信号を受信する受信コイルと、前記傾斜磁場、前記高周波磁場、前記送信コイルおよび前記受信コイルを制御する制御手段と、を備える磁気共鳴撮像装置であって、
前記送信コイルは、請求項１から８いずれか１項記載の磁場コイル、または、請求項９から１０、１４いずれか１項記載の磁場コイルシステムであること
を特徴とする磁気共鳴撮像装置。
【請求項１７】
静磁場を形成する静磁場形成手段と、傾斜磁場を形成する傾斜磁場形成手段と、高周波磁場を形成する高周波磁場形成手段と、前記高周波磁場を検査対象に印加する送信コイルと、検査対象からの磁気共鳴信号を受信する受信コイルと、前記傾斜磁場、前記高周波磁場、前記送信コイルおよび前記受信コイルを制御する制御手段と、を備える磁気共鳴撮像装置であって、
前記受信コイルは、請求項１から８いずれか１項記載の磁場コイル、または、請求項９から１０、１４いずれか１項記載の磁場コイルシステムであること
を特徴とする磁気共鳴撮像装置。
【手続補正２】
【補正対象書類名】明細書
【補正対象項目名】００２９
【補正方法】変更
【補正の内容】
【００２９】
並列共振回路５０２を第２の共振周波数ｆ２に同調するよう調整する場合、並列共振回路５０２の共振周波数は第２の共振周波数ｆ２であるため、ｆ２と各インダクタ７４、７５の値ＬＡ’’、ＬＢ’’、キャパシタ７８の値ＣＣ’’とは（式１０）を満たす。すなわち、ｆ２、ＬＡ’’、ＬＢ’’、ＣＣ’’の関係は(式１７）のとおりである。
【数１７】
2008295737.tif 000001
【手続補正３】
【補正対象書類名】明細書
【補正対象項目名】００６２
【補正方法】変更
【補正の内容】
【００６２】
従って、第２の共振周波数ｆ２において、等価回路６００は、図１１（ｃ）に示すインダクタ８５、８６、キャパシタ９７、９８をそれぞれ並列に接続した並列共振回路６０２として表される。このとき、並列共振回路６０２の共振周波数を第２の共振周波数ｆ２に調整すると、等価回路６００、すなわち、３重同調ループコイル１５４は第２の共振周波数ｆ２で共振する。また、第２の共振周波数ｆ２と、並列共振回路６０２を構成する各インダクタ８５、８６の値ＬＡ’’、ＬＢ’’および各キャパシタ９７、９８の値、ＣＢ’’、ＣＤ’’の関係は、（式１０）より、以下のとおりとなる。
【数２７】
2008295737.tif 000002
【手続補正４】
【補正対象書類名】明細書
【補正対象項目名】００６６
【補正方法】変更
【補正の内容】
【００６６】
上述してきたように、３重同調ループコイル１５４は、高周波損失を伴う程の大きな値を持つキャパシタや、調整が困難な小さな値を持つインダクタを用いずに、互いの周波数が近い３種類の磁気共鳴信号を送受信可能なＲＦコイルを構成することが可能となるため、インダクタやキャパシタによる高周波損失が大きく低減でき、互いの周波数が近い３種類の磁気共鳴信号に対するＲＦコイルの受信感度及び送信効率が向上する。また、ＲＦコイルの信号検出に関与しないトラップ回路が、信号検出コイル内に配置されていないため、トラップ回路によるＲＦコイルの感度分布を乱すことが無くＲＦコイルの感度分布の均一性を向上させることができる。さらに、ループコイル１を検査対象１０３に密着して配置することで、密着部分周辺の周波数が互いに近い３種類の磁気共鳴信号を高感度で検出することができる。
【手続補正５】
【補正対象書類名】明細書
【補正対象項目名】０１０９
【補正方法】変更
【補正の内容】
【０１０９】
第１の２重同調ループコイル５９に第１の共振周波数ｆ１の信号を送信する場合、または、第１の２重同調ループコイル５９が第１の共振周波数ｆ１の信号を受信する場合（以下、送受信合わせて同調と記載する。）、第２の２重同調ループコイル６０のループコイルに直列に挿入されている並列共振回路３７は、第１の共振周波数ｆ１で共振するよう調整されているため、そのインピーダンスは極めて高くなる。一方、第１の２重同調ループコイル５９が第２の共振周波数ｆ２に同調する場合、第２の２重同調ループコイル６０のループに直列に挿入されている並列共振回路３８は、第２の共振周波数ｆ２で共振するように調整されているため、そのインピーダンスは極めて高くなる。従って、第１の２重同調ループコイル５９がいずれの周波数（ｆ１、ｆ２）に同調する場合であっても、第１の２重同調ループコイル５９と第２の２重同調ループコイル６０との磁気結合が無くなり、第１の２重同調ループコイル５９は、磁気結合による共振周波数の移動やコイルのＱ値の低下無しに、第１または第２の共振周波数（ｆ１、ｆ２）の高周波磁場を検査対象１０３に照射し、かつ、検出できる。